(57)【特許請求の範囲】
【請求項１】
多数の障害釘および各種の入賞装置を設置した遊技盤が前面に設けられており、その遊技盤の表面に、発射装置によって発射された遊技球を遊技盤面の上方へ導くための円弧状の誘導レールが固着された遊技機であって、
前記遊技盤が、透明な合成樹脂によって形成された表層材と、その表層材より耐熱性の高い合成樹脂によって形成された複数のパーツを組み合わせてなる基材とを、盤面方向への相対的なスライドを許容する程度に緩みのある固着強度で厚み方向に積層したものであるとともに、
前記誘導レールが前記表層材に固着されることなく前記基材に固着されていることを特徴とする遊技機。
【請求項２】
誘導レールが、遊技盤側の端縁際に係合孔を穿設したものであり、その係合孔に挿通させたヘアピン状の係合部材を基材に押し込むことによって基材に固着されていることを特徴とする請求項１に記載の遊技機。
【発明の詳細な説明】
【技術分野】
【０００１】
本発明は、パチンコ機、スマートボール機等の遊技機に関するものである。
【背景技術】
【０００２】
遊技機の一種であるパチンコ機は、前面の上方に遊技盤が設置されており、その遊技盤面上に、発射装置によって発射された遊技球を上方に導くための誘導レールが円弧状に設置されている。そして、その誘導レールの内部が遊技領域として区画されており、各種の入賞装置が設置されているとともに、多数の障害釘が植設されている。
【０００３】
従来のパチンコ機の遊技盤としては、木質板の表面に合成樹脂シートを貼着したものが使用されていたが、製造コストを低減する目的や、遊技盤の切削加工時に切削屑が木質板と合成樹脂シートとの間に入り込む問題を解消する目的で、合成樹脂によって形成された遊技盤が用いられることもある（特許文献１）。また、近年の図柄制御装置の大型化に伴い、透明な合成樹脂によって形成された遊技盤の裏側に大型の図柄制御装置を設置し、当該図柄制御装置による演出表示を迫力のあるものとしたパチンコ機も開発されている。そして、それらの遊技機においては、接着剤による接着や係合ピンによる係合等の方法によって、誘導レールが合成樹脂製の遊技盤面上に設置されていた。
【０００４】
【特許文献１】特開２００６−１４９８３６号公報
【発明の開示】
【発明が解決しようとする課題】
【０００５】
しかしながら、合成樹脂製の遊技盤を用いた遊技機においては、長時間の作動により遊技盤の裏側に設けられた図柄表示装置等が発熱した場合に、遊技盤が熱変形する事態が起こり得る。そして、そのように遊技盤が熱変形すると、その熱変形に伴って遊技盤面上に設置された誘導レールの設置状態も変化してしまい、誘導レールの二重捲回部分の間をスムーズに遊技球が転動しなくなったり、遊技領域内で誘導レールと障害釘との間が狭くなって遊技球が詰まったりする事態も起こり得る。また、誘導レールの設置状態が変化すると、レール面に傾きが生じてしまい、発射装置によって発射された遊技球が目標地点に到達する精度（発射精度）が低下してしまうこともある。
【０００６】
本発明の目的は、上記従来のパチンコ機が有する課題を解消し、透明な遊技盤の裏側に設置された大型の図柄制御装置によって迫力のある演出表示ができ、趣向性が高い上、長時間作動させることにより図柄制御装置等が発熱した場合でも、誘導レールの設置状態が変化せず、誘導レールの二重捲回部分の間や誘導レールと障害釘との間に遊技球が詰まる事態や発射精度が低下する事態が生じない実用的な遊技機を提供することにある。
【課題を解決するための手段】
【０００７】
かかる本発明の内、請求項１に記載された発明は、多数の障害釘および各種の入賞装置を設置した遊技盤が前面に設けられており、その遊技盤の表面に、発射装置によって発射された遊技球を遊技盤面の上方へ導くための円弧状の誘導レールが固着された遊技機であって、前記遊技盤が、透明な合成樹脂によって形成された表層材と、その表層材より耐熱性の高い合成樹脂によって形成された複数のパーツを組み合わせてなる基材とを、盤面方向への相対的なスライドを許容する程度に緩みのある固着強度で厚み方向に積層したものであるとともに、前記誘導レールが前記表層材に固着されることなく前記基材に固着されていることを特徴とするものである。
【０００８】
請求項２に記載された発明は、請求項１に記載された発明において、誘導レールが、遊技盤側の端縁際に係合孔を穿設したものであり、その係合孔に挿通させたヘアピン状の係合部材を基材に押し込むことによって基材に固着されていることを特徴とするものである。
【発明の効果】
【０００９】
請求項１に記載の遊技機は、誘導レールが耐熱性の高い基材に固着されているため、長時間の作動により遊技盤の裏面側に設けられた作動装置が発熱した場合でも、誘導レールの設置状態が変化せず、誘導レールの二重捲回部分の間や誘導レールと障害釘との間に遊技球が詰まる事態や発射精度が低下する事態が生じない。
【００１０】
請求項２に記載の遊技機は、誘導レールが係合孔に挿通させたヘアピン状の係合部材を基材に押し込むことによって基材に固着されるものであるため、製造時に、誘導レールを非常に容易に遊技盤に設置することができる。
【発明を実施するための最良の形態】
【００１１】
以下、本発明の遊技機の一実施形態であるパチンコ機について、図面に基いて詳細に説明する。
【００１２】
＜パチンコ機の構造＞
図１は、本発明に係るパチンコ機を示したものであり、パチンコ機１は、周囲が機枠２によって覆われており、前面の上部には、透明な合成樹脂製の遊技盤３が設置されている。また、機枠２の左端縁には、前面扉４が片開き可能に設置されており、前面扉４を閉じると、前面扉４に嵌め込まれたガラス板５が遊技盤３の前面を覆うようになっている。さらに、遊技盤３の盤面上には、金属製（ステンレス製）の誘導レール６が円弧状（円周状）に設置されており、その内部が略円形の遊技領域Ｒとして区画された状態になっている。そして、遊技領域Ｒには、多数の障害釘７，７・・が植設されており、各種の入賞装置８ａ，８ｂ，８ｃ・・が設置されている。一方、遊技盤３の裏側には、大型の液晶画面を有する図柄表示装置９が設置されており、図柄表示装置９に表示された図柄が透明な遊技盤３の前方から見えるようになっている。
【００１３】
また、図２〜図４は、それぞれ、遊技盤３（障害釘７，７・・、入賞装置８ａ，８ｂ，８ｃ・・等を取り外した状態）の正面、背面、左側面を示したものであり、遊技盤３は、透明で扁平な基材１１の表面（前方側の面）に、透明な板状の表層材１０を積層することによって形成されている。表層材１０は、厚さ約５．０ｍｍのアクリル樹脂製の透明な板材を所定の大きさに切断し、内部に入賞装置等を設置するための切り欠き１２，１２・・を穿設することによって形成されている。
【００１４】
一方、図５は、基材１１を示したものであり、基材１１は、左上、左下、右上、右下の４つのパーツＰ１，Ｐ２，Ｐ３，Ｐ４を組み合わせることによってリング状に形成されており、中央部分が略円形の空洞になっている。各パーツＰ１〜Ｐ４は、ポリカーボネートを射出成形することによって、板状部分（厚さ約２．０ｍｍ）１３の裏面に格子状の補強リブ１４，１４・・を立設した形状に一体的に形成されており、約１５ｍｍの厚さを有している。また、中央の空洞部分の周囲には、誘導レール６を取り付けるための略円柱状の取付用リブ１５，１５・・が設けられている。
【００１５】
遊技盤３は、基材１１の表側に表層材１０を積層し（基材１１の表面と表層材１０の裏面とが接合するように積層し）、それらをネジ等の螺着部材（図示せず）を利用して螺着することによって一体的に形成されている。なお、基材１１と表層材１０との螺着は、強固なものではなく、基材１１と表層材１０とが遊技盤３の盤面方向に相対的にスライドできるように緩やかなものとなっている。
【００１６】
そして、上記の如く一体的に組み付けられた遊技盤３の表面に、誘導レール６が円弧状に設置されている。誘導レール６は、一定幅の帯状の金属板を円弧状に丸めることによって形成されている。また、基端側には、遊技盤３に取り付けるための複数の係合孔１６が穿設されている。誘導レール６は、それらの係合孔１６，１６・・を利用して、係合部材１７，１７・・によって遊技盤３に設置されている。
【００１７】
図６は、誘導レール６の遊技盤３への設置部分を拡大して示したものである。誘導レール６を遊技盤３に設置するための係合部材１７は、金属によってヘアピン状に形成されている。そして、ループ状の屈曲部分を除いた軸部分１８を接合させると、直径約２．０ｍｍの円柱が形成されるようになっている。また、軸部分１８の先端際の部分が基端に比べて細くなっている。一方、基材１１の中央の空洞部分の外周に設けられた取付用リブ１５，１５・・には、係合部材１７の軸部分１８よりもわずかに小径（直径約１．８ｍｍ）の固着孔２２が穿設されている。また、表層材１０の取付用リブ１５の前方に位置した部分には、係合部材１７の屈曲部分の幅よりも十分に大きな幅を有する挿通孔２４が穿設されている。
【００１８】
そして、誘導レール６は、基材１１に設けられた複数の取付用リブ１５，１５・・の設置位置において、係合孔１６を挿通させた係合部材１７の軸部分１８を、表層材１０の挿通孔２４を貫通させた後に基材１１の取付用リブ１５の固着孔２２に押し込むことによって基材１１に固着された状態になっている。
【００１９】
また、図１に示すように、遊技領域Ｒの下方には、遊技球を貯留させるための供給皿１９と貯留皿２０とが、上下に連設されており、供給皿１９の右側には、遊技領域Ｒに遊技球を発射するための発射装置（図示せず）が内蔵されている。さらに、貯留皿２０の右側には、発射装置を操作するための発射ハンドル２１が突設されている。加えて、図示されていないが、遊技盤３の盤面の裏側には、遊技盤３に設置された各種の入賞装置８ａ，８ｂ，８ｃ・・や図柄表示装置９を作動させるための各種の作動装置が設置されている。
【００２０】
＜パチンコ機の作動内容＞
上記の如く構成されたパチンコ機１においては、遊技者等によって発射ハンドル２１が回動操作されると、発射装置によって遊技球が発射され、発射された遊技球が、誘導レール６に沿って（誘導レール６の二重捲回部分を通って）遊技領域Ｒの上部へ誘導される。そして、誘導された遊技球が遊技盤３の盤面上に植設された障害釘７，７・・と次々に衝突しながら、遊技盤３の盤面上を流下するようになっている。そして、遊技盤３の盤面上を流下する遊技球が各種の入賞装置８ａ，８ｂ，８ｃ・・に入賞した場合（たとえば、開成した大入賞口８ｃの内部へ入り込んだ場合）には、賞品球として、所定数の遊技球が、遊技球払出装置（図示せず）によって払い出される。また、遊技領域Ｒに打ち込まれた遊技球が、変動入賞口８ａに入賞した場合には、図柄表示装置９において迫力ある演出表示（動画等による図柄の変動表示）を行うとともに、内部で抽選（乱数カウンタによる乱数の取得）を行い、所定の結果となった場合には、「大当たり」が生起し、図柄表示装置９に所定の「大当たり図柄」が表示されるとともに、大入賞口８ｃが所定の回数だけ断続的な開成を繰り返す。
【００２１】
また、長時間に亘って使用された場合には、図柄表示装置９が発熱するが、上述の如く遊技盤３の基材１１が耐熱性の高いポリカーボネートによって形成されており、その基材１１に直接的に誘導レール６が設置されているため、図柄表示装置９の発熱によって遊技盤３の表層材１０が変形した場合でも、その変形の影響が誘導レール６に及ぶことはなく、誘導レール６の位置は製造時点の位置で保持される。
【００２２】
＜パチンコ機の効果＞
パチンコ機１は、上記の如く、遊技盤３が、透明な合成樹脂によって形成された表層材１０と、その表層材１０より耐熱性の高い基材１１とを厚み方向に積層したものであるとともに、誘導レール６が表層材１０に固着されることなく基材１１に固着されているため、長時間の作動により遊技盤３の裏面側に設けられた図柄表示装置９等が発熱した場合でも、誘導レール６の設置状態が変化せず、誘導レール６の二重捲回部分の間や誘導レール６と障害釘７，７・・との間に遊技球が詰まる事態や発射精度が低下する事態が生じない。
【００２３】
また、パチンコ機１は、誘導レール６が、遊技盤３側の端縁際に係合孔１６，１６・・を穿設したものであり、それらの係合孔１６，１６・・に挿通させたヘアピン状の係合部材１７，１７・・を基材１１に押し込むことによって基材１１に固着されているため、製造時に、誘導レール６を非常に容易に遊技盤３に設置することができる。
【００２４】
＜パチンコ機の変更例＞
なお、本発明の遊技機の構成は、上記実施形態の態様に何ら限定されるものではなく、遊技盤（基材、表層材）、誘導レール、係合部材の材質・形状・構造等の構成を、本発明の趣旨を逸脱しない範囲で適宜変更することができる。
【００２５】
たとえば、遊技盤は、上記実施形態の如く、基材と表層材とを貼り合わせたもの（密着させたもの）に限定されず、基材と表層材との間に隙間を形成したものや、基材と表層材とが所定の距離を隔てて平行に配置しているもの（基材と表層材とが全体的に接触していないもの）に変更することも可能である。そのように基材と表層材との間に隙間を形成するための方法としては、接合する表層材の裏面あるいは基材の表面にリブを立設する方法等を採用することができる。また、基材と表層材とを所定の距離を隔てて平行に配置させるための方法としては、内面に２つの溝を所定の距離を隔てて平行に刻設したフレーム部材を利用し、そのフレーム部材の各溝に、それぞれ、基材の端縁、表層材の端縁を嵌め込む方法等を採用することができる。上記の如く、遊技盤を、基材と表層材との間に隙間を形成したものや、基材と表層材とを平行に配置させたものとした場合には、表層材から基材への熱伝導が効率的に抑制されるため、基材が非常に変形しにくく、誘導レールの設置状態が高い精度で保持される、というメリットがある。
【００２６】
また、基材の材質は、ポリカーボネートに限定されず、ポリイミド、ＰＥＥＫ、ＰＰＳ等のポリカーボネート以外の高耐熱性の樹脂に変更することも可能である。また、表層材の材質もアクリル樹脂に限定されず、基材の材質に合わせて適宜変更することができる。
【００２７】
また、遊技盤へ誘導レールを設置する方法は、上記実施形態の如く、誘導レールの係合孔を挿通させたヘアピン状の係合部材を基材に穿設された係合孔へ押し込む方法に限定されず、ヘッド部分を誘導レールに係合させた釘状の係合部材を基材に穿設された係合孔へ押し込む方法等の別の方法に変更することも可能である。加えて、遊技盤へ誘導レールを設置する方法は、誘導レールに係合させた係合部材を基材に固着させる方法に限定されず、基材に設けたボス状あるいはリブ状の突起体を誘導レールに係合させる（表層材を貫通させた状態で誘導レールに係合させる）方法や、基材側から押し込んだネジ部材を誘導レールに螺合させる（表層材を貫通させた状態で誘導レールに螺合させる）方法等に変更することも可能である。
【産業上の利用可能性】
【００２８】
本発明の遊技機は、上記の如く優れた効果を奏するものであるので、パチンコ機、スマートボール等の遊技球を遊技媒体とする各種の遊技機として好適に用いることができる。
【図面の簡単な説明】
【００２９】
【図１】パチンコ機（前面扉を開いた状態）の斜視図である。
【図２】遊技盤の正面図（障害釘を除いた状態）である。
【図３】遊技盤の背面図（障害釘を除いた状態）である
【図４】遊技盤の左側面図である。
【図５】基材の正面図である。
【図６】誘導レールの設置部位を示す説明図である（ａは、図４におけるＡ部分を拡大して示したものであり、ｂは、ａにおけるＡ−Ａ線断面を示したものであり、ｃは、図２におけるＢ部分を拡大して示したものである）。
【符号の説明】
【００３０】
１・・パチンコ機、３・・遊技盤、１０・・表層材、１１・・基材、１６・・係合孔、１７・・係合部材、Ｒ・・遊技領域。
【図１】
0005239068.tif 000002
【図２】
0005239068.tif 000003
【図３】
0005239068.tif 000004
【図４】
0005239068.tif 000005
【図５】
0005239068.tif 000006
【図６】
0005239068.tif 000007